(57)【要約】【課題】  ビールサーバーから樽生ビールを容器に注入する際に発生する粗い泡を、容器の外部を濡らさずに素早く除去するビールサーバー及び吸引機器。【解決手段】  樽生ビールの注入動作を感知して作動するセンサーを設置した吸引機器をビールサーバーに内蔵し、樽生ビールが注入される容器の内部に挿入される位置に設置された吸い込み口から容器の内部の粗い泡を吸引して除去させる。【選択図】図１
2006193219.tif 000002
【特許請求の範囲】
【請求項１】
ビールサーバーであって、泡を吸引する吸引機器が内蔵されたビールサーバー。
【請求項２】
請求項１のビールサーバーであって、樽生ビールを容器に注入する際に、容器の内部に挿入される位置に吸引機器の吸い込み口が設置されたビールサーバー。
【請求項３】
請求項１のビールサーバーであって、吸引機器の吸い込み口が着脱可能に装着されたビールサーバー。
【請求項４】
請求項１のビールサーバーであって、Ｓ字形状に成形された吸引ノズルが装着されたビールサーバー。
【請求項５】
請求項４のビールサーバーであって、左右対称に成形された前記吸引ノズルが装着されたビールサーバー。
【請求項６】
請求項１のビールサーバーであって、感知機能で吸引機器を作動させるセンサーが設置されたビールサーバー。
【請求項７】
ビールサーバーに設置される吸引機器であって、ビールサーバーから樽生ビールを容器に注入する際に、容器の内部に挿入される位置に吸い込み口が設置され、感知機能で吸引機器を作動させるセンサーが設置された吸引機器。
【発明の詳細な説明】
【技術分野】
【０００１】  本発明は、ビールサーバーから樽生ビール（本文の樽生ビールは発泡酒、雑酒のビール類を含む）を容器に注入する際に発生する粗い泡を吸引して除去するビールサーバー及び吸引機器に関するものである。
【背景技術】
【０００２】  樽生ビールをビールサーバーからジョッキ等の容器に注入する際、自然に発生する泡はきめが粗く品質が低いことは知られており、一部の飲食店ではスプーン等でかき出す方法や粗い泡が上面に浮かぶ原理を利用して泡を余分に注入し、オーバーフローさせて除去する方法がとられている。しかし、よりスピーディーであるオーバーフローさせる方法においても、容器の外部が濡れて拭き取る手間がかかるという問題があり、実施されている飲食店は限られている。また、粗い泡の発生を抑えるために樽生ビールの注入速度を遅くしたビールサーバーも存在するが、樽生ビールの提供は秒単位のスピードが要求される作業であることから飲食店には適さないという問題がある。
【発明の開示】
【発明が解決しようとする課題】
【０００３】  本発明は従来の問題を解決しようとするものであり、ビールサーバーから樽生ビールを容器に注入する際に発生する粗い泡を、手間をかけずに素早く除去するためのビールサーバー及び吸引機器である。
【課題を解決するための手段】
【０００４】  ビールサーバーから樽生ビールを容器に注入する際に、樽生ビールが注入される容器の内部に挿入される位置である抽出ノズルの周囲に吸い込み口を設置した吸引機器をビールサーバーに設置する。前記吸引機器のポンプ部分は、泡を吸引する機能を有するアスピレーター等のポンプ部分を使用し、樽生ビールの注入作業の障害にならない位置であるビールサーバーの抽出コックの裏側のビールサーバー内部に内蔵させる。【０００５】  前記吸引機器のポンプ部分に連結したワンタッチ金具（道具を使用せずに装着した部品の着脱ができる金具）をビールサーバーの外板に設置する。前記ワンタッチ金具には、緩やかなＳ字形状で左右対称に成形された吸引ノズル図１−２を装着し、前記ノズルの先端部分がビールサーバーの抽出ノズルに接近する位置に設置されるように調整する。【０００６】  前記吸引機器のスイッチには光センサー等のセンサーを使用し、ビールサーバーの抽出コックの近くの外板に前記センサーを設置する。前記センサーには、樽生ビールの注入作業のためにビールサーバーの抽出コックに近づいた手や容器を感知することで吸引機器を作動させ、前記センサーから手や容器が遠ざかることで吸引機器の作動を停止させる機能を持たせる。また、ビールサーバーの抽出コックがビールサーバーから離れた位置に設置される場合は、その抽出コックの支柱に前記センサーを設置する。自動式のビールサーバーにおいては、樽生ビールの注入操作の機能に泡を吸引する機能を加える。【０００７】  ビールサーバーの外部に吸引機器を設置させる場合は、前記ビールサーバーに内蔵した吸引機器と同様の機能を設け、磁石等でビールサーバーの抽出コックの近くに設置する。【０００８】  本発明の吸引機器のポンプ部分に泡を排出する排水管を接続し、ビールサーバーの受け皿や、ビールサーバーの壁面に設けた着脱可能な容器に吸引した泡を排出させる。
【発明の効果】
【０００９】  本発明により、樽生ビールの注入時に発生した容器の内部の粗い泡を、樽生ビールの注入作業と同時に吸引して除去することが可能になり、粗い泡の少ない美味しい泡の樽生ビールを素早く注入できるようになる。【００１０】  また、本発明により、吸引機器が樽生ビールの注入作業の障害になることを抑えながら吸引機器のポンプ部分と吸い込み口の距離を短くさせて吸引効率を高められる効果がある。【００１１】  請求項３の発明により、吸い込み口の着脱が可能になり吸い込み口の洗浄が容易になる。また、ビールサーバーの抽出コックを着脱する作業では、前記吸い込み口が障害になる場合もあるが、請求項４の吸引ノズルは、前記ワンタッチ金具の一部が回転する機能を利用して、前記ワンタッチ金具に装着した状態でも先端部分をビールサーバーの抽出コックから遠ざけることが可能であり、前記障害になることを容易に抑えられる効果がある。【００１２】  また、請求項５の発明により、前記ワンタッチ金具に前記ノズルの先端のどちらが装着されても、吸い込み口の位置を同じにできる効果がある。【００１３】  請求項６及び請求項７の発明により、吸引機器のスイッチの切り替えの手間が省略されて樽生ビールを注入する作業時間が短縮される。また、吸引機器のスイッチの切り忘れを防止することができる。
【発明の実施するための最良の形態】
【００１４】  ビールサーバーの抽出コック７の裏側近くに吸引機器のポンプ部分１を設置する。ポンプ部分１に連結したワンタッチ金具３を抽出コック７の横のビールサーバーの外板に設置する。ワンタッチ金具３に吸引機器の吸い込み口となるＳ字形状で左右対称に成形した吸引ノズル２を装着する。前記吸引ノズル２の先端部分は抽出ノズル８と並列に接近させて設置して、樽生ビールを注入する容器の障害になることを防ぐ。吸引機器のスイッチとなる光センサー６を抽出コック７の近くに設置し、樽生ビールの注入作業のために抽出コック７に近づいた手や容器を感知することで吸引機器を作動させ、光センサー６から手や容器が遠ざかることで吸引機器の作動を停止させる機能を持たせる。そして、樽生ビールを注入する作業と同時に容器の内部の粗い泡を抽出ノズル８の先端近くに設置した吸引ノズル２の先端から吸引して除去する。吸引した泡は、ビールサーバーに内蔵した排水管４を通じて排出口５から受け皿９に排出させる。そして、吸引機器の内部を清潔に保つため、使用後に水を吸引させて洗浄を行う。
【図面の簡単な説明】
【００１５】
【図１】本発明のビールサーバーの斜視図である。
【符号の説明】
【００１６】    １  ビールサーバーに内蔵された吸引機器のポンプ部分
２  吸引機器の吸い込み口となるＳ字形状で左右対称に成形された吸引ノズル
３  ビールサーバーの外板に設置されたワンタッチ金具
４  吸引機器の排水管
５  吸引機器の排出口
６  ビールサーバーの外板に設置された吸引機器の光センサー
７  ビールサーバーの抽出コック
８  ビールサーバーの抽出ノズル
９  ビールサーバーの受け皿
【図１】
2006193219.tif 000003